(57)【要約】【課題】  空気調和機のドレンポン制御装置に関し、圧縮機運転時間検知手段によって検知した値によってドレンポンプを規定時間運転させてしまうため、室内の温度条件によっては、ドレンポンプを動かしすぎるため電力量が多くかかるという欠点があった。【解決手段】  熱交換器の温度を検知する熱交換器温度検知手段と、室内湿度を検知する室内湿度検知手段と、室内温度を検知する室内温度検知手段を用いて、熱交換器で凝縮する水量を演算し、ドレンポンプの運転時間を設定するため、必要以上にドレンポンプを運転させないことでドレンポンプの寿命時間確保と消費電力量を少なくできる。【選択図】  図１
2005055107.tif 000002
【特許請求の範囲】
【請求項１】
冷凍サイクルを構成する熱交換器と、前記熱交換器で発生する凝縮水を貯溜する水受皿と、前記水受皿の凝縮水を排出するドレンポンプと、前記熱交換器の温度を検知する熱交換器温度検知手段と、室内湿度を検知する室内湿度検知手段と、室内温度を検知する室内温度検知手段と、前記熱交換器温度検知手段により検知された熱交換器検知温度と前記室内湿度検知手段により検知された室内検知湿度と前記室内温度検知手段により検知された室内検知温度を用いて凝縮水の量を演算する演算手段と、前記演算手段で演算された値からタイマ設定手段が前記ドレンポンプの運転時間を設定する空気調和機のドレンポンプ制御装置。
【請求項２】
冷凍サイクルを構成する熱交換器と、前記熱交換器で発生する凝縮水を貯溜する水受皿と、前記水受皿の凝縮水を排出するドレンポンプと、室内湿度を検知する室内湿度検知手段と、室内温度を検知する室内温度検知手段と、前記熱交換器を通過した空気の温度を検出する吹出し温度検知手段と、前記室内湿度検知手段により検知された室内検知湿度と前記室内温度検知手段により検知された室内検知温度と前記吹出し温度検知手段により検知された吹出し空気検知温度を用いて凝縮水の量を演算する演算手段と、前記演算手段で演算された値からタイマ設定手段が前記ドレンポンプの運転時間を設定する空気調和機のドレンポンプ制御装置。
【請求項３】
前記熱交換器を通過した空気の湿度を検出する吹出し湿度検知手段を備えた請求項２記載の空気調和機のドレンポンプ制御装置。
【請求項４】
冷凍サイクルを構成する熱交換器と、前記熱交換器で発生する凝縮水を貯溜する水受皿と、前記水受皿の凝縮水を排出するドレンポンプと、圧縮機の回転数を検知する圧縮機回転数検知手段と、室内湿度を検知する室内湿度検知手段と、室内温度を検知する室内温度検知手段と、前記圧縮機回転数検知手段による圧縮機検知回転数と前記室内湿度検知手段による室内検知湿度と前記室内温度検知手段による室内検知温度を用いて凝縮水の量を演算する演算手段と、前記演算手段で演算された値からタイマ設定手段が前記ドレンポンプの運転時間を設定する空気調和機のドレンポンプ制御装置。
【請求項５】
圧縮機の回転数を検知する圧縮機回転数検知手段を備えた請求項１記載の空気調和機のドレンポンプ制御装置。
【請求項６】
室内送風機の回転数を検知する室内送風機回転数検知手段を備えた請求項１または２または３または４または５記載の空気調和機のドレンポンプ制御装置。
【請求項７】
気象データや室内機の運転状態などの前記ドレンポンプ運転に関わるデータの保持と取得を行うデータ保持手段を備えた請求項１または２または３または４または５または６記載の空気調和機のドレンポンプ制御装置。
【請求項８】
前記タイマ設定手段の値から前記ドレンポンプの回転数を変化させるドレンポンプ運転手段を備えた請求項１または２または３または４または５または６または７記載の空気調和機のドレンポンプ制御装置。
【発明の詳細な説明】
【技術分野】
【０００１】
本発明は空気調和機のドレンポンプ制御装置に関しするものである。
【背景技術】
【０００２】
従来の空気調和機のドレンポンプ制御装置を図面を参照しながら説明する。図９は、冷凍サイクルを構成する従来の空気調和機の室内機の断面図である。図９において、１はキャビネット、２はキャビネット１内に設置された送風機、３は吸込口、４はキャビネットに架設された熱交換器、５は吹出口、６は熱交換器４の下部に設置された水受皿、７は水受皿３の凹部に配置されたドレンポンプ、８は水受皿３の凹部に配置された水位検知手段、９は圧縮機の運転時間を積算する圧縮機運転時間検知手段である。
【０００３】
以上のような構成について、以下に冷房運転時の動作を説明する。まず、送風機２によって誘引された室内空気は吸込口３からキャビネット１内に流入し、熱交換器４を通過する際に熱交換器４を介して熱交換器４内に流れている冷媒との熱交換を行うことで室内空気は冷却され吹出口５より室内に放出される。熱交換器４と室内空気が熱交換した際に、空気中の水分は熱交換器４の表面に凝縮され、この凝縮水を貯溜するために熱交換器４の下部に水受皿６が設置され、水受皿６の凝縮水を室外に排出するためにドレンポンプ７が設置されている。水受皿６の水位が任意以上になったことを水位検知手段８で検知するか、もしくは、圧縮機運転時間検知手段９が任意の時間になればドレンポンプ７を規定時間運転させ、水受皿６から凝縮水が溢れることを防止する（例えば特許文献１参照）。
【特許文献１】特開平０４−２９７７４４号公報
【発明の開示】
【発明が解決しようとする課題】
【０００４】
しかしながら、上記従来の構成は凝縮水が少なくなる室内の温湿度条件（湿度が低い）において、水受皿６には凝縮水が少ないため水位検知手段８は検知しないが、圧縮機運転時間検知手段９によって検知した時間によってドレンポンプ７を規定時間運転させてしまうため、ドレンポンプで消費する電力量が多くかかるという欠点があった。
【０００５】
本発明は従来の課題を解決するもので、必要以上にドレンポンプを運転させないためにドレンポンプの寿命時間を確保でき、さらに、室内の温湿度条件に左右されることなく安定してドレンポンプの消費電力量を少なくできるドレンポンプ制御装置を提供することを目的とする。
【課題を解決するための手段】
【０００６】
本発明の請求項１記載の発明は、熱交換器で発生する凝縮水を貯溜する水受皿と、前記水受皿の凝縮水を排出するドレンポンプと、前記熱交換器の温度を検知する熱交換器温度検知手段と、室内湿度を検知する室内湿度検知手段と、室内温度を検知する室内温度検知手段と、前記熱交換器温度検知手段と前記室内湿度検知手段と前記室内温度検知手段で検知された値を演算する演算手段と、前記演算手段で演算された値から前記ドレンポンプの運転時間を設定するタイマ設定手段とからなり、任意の時間ごとに熱交換器検知温度と室内検知湿度と室内検知温度を検出し、前記演算手段で前記熱交換器検知温度と前記熱交換器に流入する空気の状態を室内検知温度と室内検知湿度から把握し、前記熱交換器で凝縮される凝縮水量を演算する。前記演算手段で演算された凝縮水量から前記タイマ設定手段が前記ドレンポンプの運転時間を設定する。よって、室内の温湿度条件や室内機の熱交換器温度にそくした前記ドレンポンプの運転時間を設定できるため、必要以上に前記ドレン
ポンプを運転させないことで前記ドレンポンプの寿命時間を確保できる。さらに、前記ドレンポンプの運転時間を少なくできるため消費電力量を少なくできる作用を有する。
【０００７】
本発明の請求項２記載の発明は、熱交換器で発生する凝縮水を貯溜する水受皿と、前記水受皿の凝縮水を排出するドレンポンプと、室内湿度を検知する室内湿度検知手段と、室内温度を検知する室内温度検知手段と、前記熱交換器を通過した空気の温度を検出する吹出し温度検知手段と、前記室内湿度検知手段により検知された室内検知湿度と前記室内温度検知手段により検知された室内検知温度と前記吹出し温度検知手段により検知された吹出し空気検知温度を用いて凝縮水の量を演算する演算手段と、前記演算手段で演算された値から前記ドレンポンプの運転時間を設定するタイマ設定手段とからなり、任意の時間ごとに室内検知湿度と室内検知温度と吹出し温度を検出し、前記演算手段で前記熱交換器に流入する空気と前記熱交換器を通過した空気の状態を室内検知温度と室内検知湿度と吹出し温度から把握し、前記熱交換器で凝縮した凝縮水量を演算する。前記演算手段で演算された凝縮水量から前記タイマ設定手段が前記ドレンポンプの運転時間を設定する。よって、室内の温湿度条件にそくした前記ドレンポンプの運転時間を設定できるため、必要以上に前記ドレンポンプを運転させないことで前記ドレンポンプの寿命時間を確保できる。さらに、前記ドレンポンプの運転時間を少なくできるため消費電力量を少なくできる作用を有する。
【０００８】
本発明の請求項３記載の発明は、請求項２記載の発明に、さらに、前記熱交換器を通過した空気の湿度を検出する吹出し湿度検知手段を備えたものであり、前記演算手段では前記室内湿度検知手段と前記室内温度検知手段と吹出し温度検出手段と吹出し湿度検出手段との検知値から前記熱交換器を通過する前後の空気状態を把握し、前記熱交換器で凝縮する水量を演算する。前記演算手段で演算された凝縮水量から前記タイマ設定手段が前記ドレンポンプの運転時間を設定する。よって、室内の温湿度条件や室内機の状態にそくした前記ドレンポンプの運転時間を設定できるため、必要以上に前記ドレンポンプを運転させないことで前記ドレンポンプの寿命時間を確保できる。さらに、前記ドレンポンプの運転時間を少なくできるため消費電力量を少なくできる作用を有する。
【０００９】
本発明の請求項４記載の発明は、前記熱交換器で発生する凝縮水を貯溜する水受皿と、前記水受皿の凝縮水を排出する前記ドレンポンプと、圧縮機の回転数を検知する前記圧縮機回転数検知手段と、室内湿度を検知する前記室内湿度検知手段と、室内温度を検知する前記室内温度検知手段と、前記圧縮機回転数検知手段による圧縮機検知回転数と前記室内湿度検知手段による室内検知湿度と前記室内温度検知手段による室内検知温度を用いて凝縮水の量を演算する前記演算手段と、前記演算手段で演算された値から前記ドレンポンプの運転時間を設定する前記タイマ設定手段からなり、任意の時間ごとに圧縮機検知回転数と室内検知湿度と室内検知温度を検出し、前記演算手段では圧縮機検知回転数から室内に供給する冷凍能力の算出と前記熱交換器に流入する空気の状態を室内検知温度と室内検知湿度から把握し、前記熱交換器で凝縮される凝縮水量を演算する。前記演算手段で演算された凝縮水量から前記タイマ設定手段が前記ドレンポンプの運転時間を設定する。よって、室内の温湿度条件や圧縮機の運転状態によって前記ドレンポンプ運転時間を設定でき、必要以上に前記ドレンポンプを運転させないことから、前記ドレンポンプの寿命時間を確保できる。さらに、前記ドレンポンプの運転時間を少なくできるため消費電力量の削減ができる作用を有する。
【００１０】
本発明の請求項５記載の発明は、請求項１記載の発明に、さらに、圧縮機の回転数を検知する前記圧縮機回転数検知手段を備えたものであり、前記演算手段では圧縮機検知回転数から室内に供給する冷凍能力の算出し、前記熱交換器で凝縮される凝縮水量を計算する。また、前記演算手段では前記熱交換器温度検知手段と前記室内湿度検知手段と前記室内温度検知手段の検知値から室内空気が前記熱交換器を通過する際に凝縮する水量も算出し
、これら２つの方法で求めた凝縮水量から前記熱交換器で凝縮する水量を演算する。よって、凝縮水量の演算精度がさらに向上し、室内の温湿度条件や熱交換器温度や圧縮機の運転状態にそくした前記ドレンポンプの運転時間が設定できる。これにより、必要以上に前記ドレンポンプを運転させないために前記ドレンポンプの寿命時間確保と消費電力量の削減ができる。また、前記水受皿の貯水量を少なくできることから、キャビネットの小型化や部品レイアウトの自由度アップによる生産性向上が可能となる作用を有する。
【００１１】
本発明の請求項６記載の発明は、請求項１または請求項４または５記載の発明に、さらに、前記室内送風機の回転数を検知する室内送風機回転数検知手段を備えたものであり、前記演算手段では前記室内送風機回転数検知手段より前記熱交換器と熱交換しない空気量の算出や前記室内送風機の回転数によって前記熱交換器での熱伝達率の変化を算出できるるため、前記熱交換器で凝縮される凝縮水量の演算精度が向上し、室内の温湿度条件や室内機の運転状態や圧縮機の運転状態にそくした前記ドレンポンプの運転時間を設定できる。よって、必要以上に前記ドレンポンプを運転させないことから前記ドレンポンプの寿命時間確保と消費電力量の削減ができる。また、前記水受皿の貯水量を少なくできるため、前記キャビネットの小型化や部品レイアウトの自由度アップによる生産性向上する。さらに、前記水受皿内に貯水される凝縮水量の調整が可能となるため前記ドレンポンプ動作時に特定水位で発生する音を防止できる作用を有する。
【００１２】
本発明の請求項７記載の発明は、請求項１または請求項２または３または４または５または６記載の発明に、さらに、気象データや室内機の運転状態などの前記ドレンポンプ運転に関わるデータの保持や取得を行うデータ保持手段を備えたものであり、前記演算手段では前記熱交換器温度検出手段、前記圧縮機回転数検知手段、前記室内湿度検出手段、前記室内温度検出手段、前記室内送風機回転数検知手段を用いて算出した凝縮水量に対して前記データ保持手段からのデータを用いて補正するため、凝縮水量の演算精度が向上する。また、前記データ保持手段からのデータを用いることで、今後の凝縮水量の予測を前記演算手段で演算することができるため、前記ドレンポンプの発停回数も大幅に低減できる。よって、機器をとりまくあらゆる条件にそくした前記ドレンポンプ運転時間を設定できるだけでなく、必要以上に前記ドレンポンプを運転させないことから前記ドレンポンプの寿命時間確保と消費電力量の削減と前記ドレンポンプに電気を供給する部品の信頼性が向上できる。また、前記水受皿の貯水量を少なくできるため、前記キャビネットの小型化や部品レイアウトの自由度アップによる生産性向上する。さらに、前記水受皿内に貯水される凝縮水量の調整が可能となるため前記ドレンポンプ動作時に特定水位で発生する音を防止できる作用を有する。
【００１３】
本発明の請求項８記載の発明は、請求項１または請求項２または３または４または５または６または７記載の発明に、さらに、前記タイマ設定手段の値から前記ドレンポンプの回転数を変化させるドレンポンプ運転手段を備えたものであり、前記演算手段で算出した凝縮水量に対して前記タイマ設定手段の値に対して前記ドレンポンプ運転手段が前記ドレンポンプの運転回転数を任意に変化させることができるため、急激な室内温湿度状態の変化に対する前記ドレンポンの反応が大幅に向上できる。よって、機器をとりまくあらゆる条件にそくしてた前記ドレンポンプの運転を設定できるだけでなく、必要以上に前記ドレンポンプを運転させないことから前記ドレンポンプの寿命時間確保と消費電力量の削減と前記ドレンポンプに電気を供給する部品の信頼性が向上できる。また、前記水受皿の貯水量を少なくできるため、前記キャビネットの小型化や部品レイアウトの自由度アップによる生産性向上する。さらに、前記水受皿内に貯水される凝縮水量の調整が可能となるため前記ドレンポンプ動作時に特定水位で発生する排出際に発生する音を防止できるだけでなく、前記水受皿の水位を高めにするように前記ドレンポンプの運転を変えることで電力ピーク時の電力カットが可能となる作用を有する。
【発明の効果】
【００１４】
以上説明したように請求項１に記載の発明は、熱交換器の温度を検知する熱交換器温度検知手段と、室内湿度を検知する室内湿度検知手段と、室内温度を検知する室内温度検知手段と、これらの検知値を用いて凝縮水の量を演算する演算手段と、演算手段で演算された値からタイマ設定手段がドレンポンプの運転時間を設定するため、室内の温湿度条件や室内機の熱交換器温度によってドレンポンプ運転時間を設定でき、必要以上にドレンポンプを運転させないことから、ドレンポンプの寿命時間確保と消費電力量の削減ができる。
【００１５】
以上説明したように請求項２に記載の発明は、室内湿度を検知する室内湿度検知手段と、室内温度を検知する室内温度検知手段と、熱交換器を通過した空気の温度を検出する吹出し温度検知手段と、これらの検知値を用いて凝縮水の量を演算する演算手段と、演算手段で演算された値からドレンポンプの運転時間を設定するタイマ設定手段がドレンポンプの運転時間を設定するため、室内の温湿度条件にそくしたドレンポンプの運転時間を設定できるため、必要以上にドレンポンプを運転させないことでドレンポンプの寿命時間を確保できる。さらに、ドレンポンプの運転時間を少なくできるため消費電力量を少なくできる作用を有する。
【００１６】
以上説明したように請求項３記載の発明は、請求項２記載の発明に加えて、交換器を通過した空気の湿度を検出する吹出し湿度検知手段を備えたことから、熱交換器を通過する前後の空気状態を把握できるため、熱交換器で凝縮する水量を正確に演算できる。よって、室内の温湿度条件や室内機の状態にそくしたドレンポンプの運転時間を設定できるため、必要以上にドレンポンプを運転させないことでドレンポンプの寿命時間を確保できる。さらに、ドレンポンプの運転時間を少なくできるため消費電力量を少なくできる作用を有する。
【００１７】
また、請求項４に記載の発明は、圧縮機の回転数を検知する圧縮機回転数検知手段と、室内湿度を検知する室内湿度検知手段と、室内温度を検知する室内温度検知手段と、圧縮機回転数検知手段による圧縮機検知回転数と室内湿度検知手段による室内検知湿度と室内温度検知手段による室内検知温度を用いて凝縮水の量を演算する演算手段と、前記演算手段で演算された値からタイマ設定手段が前記ドレンポンプの運転時間を設定するため、室内の温湿度条件や圧縮機の運転状態によってドレンポンプ運転時間を設定でき、必要以上にドレンポンプを運転させないことから、ドレンポンプの寿命時間確保と消費電力量の削減ができる。
【００１８】
また、請求項５に記載の発明は請求項１に記載の発明に加えて、圧縮機の回転数を検知する圧縮機回転数検知手段を備えたことから、圧縮機の検知回転数より室内に供給する冷凍能力から求めた前記熱交換器で凝縮する水量と前記熱交換器温度検知手段と前記室内湿度検知手段と前記室内温度検知手段の検知値から室内空気が前記熱交換器を通過する際に凝縮する水量も算出し、これら２つの方法で求めた凝縮水量から前記熱交換器で凝縮する水量を演算する。よって、凝縮水量の演算精度がさらに向上し、室内の温湿度条件や熱交換器温度や圧縮機の運転状態にそくしたドレンポンプ運転時間が設定できる。よって、必要以上にドレンポンプを運転させないためにドレンポンプの寿命時間確保と消費電力量の削減ができる。また、水受皿の貯水量を少なくできることから、キャビネットの小型化や部品レイアウトの自由度アップによる生産性向上が可能となる。
【００１９】
また、請求項６に記載の発明は請求項１または2または3または４または５に記載の発明に加えて、室内送風機の回転数を検知する室内送風機回転数検知手段を備えたことから、熱交換器と熱交換しない空気量の算出や室内送風機の回転数によって熱交換器での熱伝達率の変化を算出できるるため、熱交換器で凝縮される凝縮水量の演算精度が向上し、室内の温湿度条件や室内機の運転状態や圧縮機の運転状態にそくしたドレンポンプ運転時間を
設定できる。よって、必要以上にドレンポンプを運転させないことからドレンポンプの寿命時間確保と消費電力量の削減ができる。また、水受皿の貯水量を少なくできるため、キャビネットの小型化や部品レイアウトの自由度アップによる生産性向上する。さらに、水受皿内に貯水される凝縮水量の調整が可能となるためドレンポンプ動作時に特定水位で発生する動作音を防止できる。
【００２０】
また、請求項７に記載の発明は請求項１または2または3または４または５または６に記載の発明に加えて、気象データや室内機の運転状態などのデータの保持と取得を行うデータ保持手段を備えたことから、過去データから凝縮水量の補正ができるだけでなく、気象予測データの取得により、今後の凝縮水量の予測を予測できるため、機器をとりまくあらゆる条件にそくしたドレンポンプの運転時間を設定できるだけでなく、必要以上にドレンポンプを運転させないことからドレンポンプの寿命時間確保と消費電力量の削減とドレンポンプに電気を供給する部品の信頼性が向上できる。また、水受皿の貯水量を少なくできるため、キャビネットの小型化や部品レイアウトの自由度アップによる生産性向上する。さらに、水受皿内に貯水される凝縮水量の調整が可能となるためドレンポンプ動作時に特定水位で発生する音を防止できる。
【００２１】
また、請求項８に記載の発明は請求項１または2または3または４または５または６または７に記載の発明に加えて、ドレンポンプの回転数を変化させるドレンポンプ運転手段を備えたことから、急激な室内温湿度状態の変化などの機器をとりまくあらゆる条件に対して即時にドレンポンプの運転を適合させるだけでなく、必要以上にドレンポンプ７を運転させないことからドレンポンプの寿命時間確保と消費電力量の削減とドレンポンプに電気を供給する部品の信頼性が向上できる。また、水受皿の貯水量を少なくできるため、キャビネットの小型化や部品レイアウトの自由度アップによる生産性向上する。さらに、水受皿内に貯水される凝縮水量の調整が可能となるためドレンポンプの動作時に特定水位で発生する排出際に発生する音を防止できるだけでなく、水受皿の水位を高めになるようにドレンポンプの運転を変えることで電力ピーク時の電力カットが可能となる
【発明を実施するための最良の形態】
【００２２】
以下、本発明によるドレンポンプ制御装置の実施の形態について、図面を参照しながら説明する。なお、従来と同一構成については、同一符号を付して詳細な説明を省略する。
【００２３】
（実施の形態１）
図１は、本発明の実施の形態１による空気調和機のドレンポンプ制御装置の断面図である。図１において、１はキャビネット、２はキャビネット１内に設置された送風機、３は吸込口、４はキャビネットに架設された熱交換器、５は吹出口、６は熱交換器４の下部に設置された水受皿、７は水受皿６の凹部に配置されたドレンポンプ、１１は熱交換器の温度を検知する熱交換器温度検知手段、１５は室内湿度を検知する室内湿度検知手段、１６は室内温度を検知する室内温度検知手段、２１は熱交換器温度検知手段１１と室内湿度検知手段１５と室内温度検知手段１６により検知された値を演算する演算手段、２２は演算手段２１で演算された値からドレンポンプの運転時間を設定するタイマ設定手段である。
【００２４】
以上のように構成された空気調和機のドレンポンプ制御装置について、以下にその動作を説明する。まず、送風機２によって誘引された室内空気は吸込口３からキャビネット１内に流入し、熱交換器４を通過する際に熱交換器４を介して熱交換器４内に流れている冷媒との熱交換を行うことで室内空気は冷却され吹出口５より室内に放出される。熱交換器４と室内空気が熱交換した際に、空気中の水分は熱交換器４の表面に凝縮され、この凝縮水を貯溜するために熱交換器４の下部に水受皿６が設置され、水受皿６の凝縮水を室外に排出するためにドレンポンプ７を設置している。任意時間ごとに演算手段２１で熱交換器温度検知手段１１と室内湿度検知手段１５と室内温度検知手段１６を検知値から室内空気
が熱交換器４を通過する際に凝縮する水量を演算する。演算手段２１で演算された凝縮水量からタイマ設定手段２２がドレンポンプ７の運転時間を設定し、ドレンポンプ７の運転を制御する。
【００２５】
よって、室内の温湿度条件や室内機の熱交換器温度に応じたドレンポンプ７の運転時間を設定できる。従って、必要以上にドレンポンプ７を運転させないことでドレンポンプ７の寿命時間を確保できる。さらに、ドレンポンプ７の運転時間を少なくできるため消費電力量を少なくできる。
【００２６】
（実施の形態２）
図２は、本発明の実施の形態２による空気調和機のドレンポンプ制御装置の断面図である。図２において、１はキャビネット、２はキャビネット１内に設置された送風機、３は吸込口、４はキャビネットに架設された熱交換器、５は吹出口、６は熱交換器４の下部に設置された水受皿、７は水受皿３の凹部に配置されたドレンポンプ、１５は室内湿度を検知する室内湿度検知手段、１６は室内温度を検知する室内温度検知手段、１７は熱交換器４を通過した空気の温度を検出する吹出し温度検知手段、２１は室内湿度検知手段１５と室内温度検知手段１６と吹出し温度検知手段１７により検知された値を演算する演算手段、２２は演算手段２１で演算された値からドレンポンプの運転時間を設定するタイマ設定手段である。
【００２７】
以上のように構成された空気調和機のドレンポンプ制御装置について、以下にその動作を説明する。まず、送風機２によって誘引された室内空気は吸込口３からキャビネット１内に流入し、熱交換器４を通過する際に熱交換器４を介して熱交換器４内に流れている冷媒との熱交換を行うことで室内空気は冷却され吹出口５より室内に放出される。熱交換器４と室内空気が熱交換した際に、空気中の水分は熱交換器４の表面に凝縮され、この凝縮水を貯溜するために熱交換器４の下部に水受皿６が設置され、水受皿６の凝縮水を室外に排出するためにドレンポンプ７を設置している。任意時間ごとに室内湿度検知手段１５と室内温度検知手段１６と吹出し温度検知手段１７の値を検知し、演算手段２１ではこれら検知値を用いて室内空気が熱交換器４を通過する際に凝縮する水量を演算する。
【００２８】
演算手段２１で演算された凝縮水量からタイマ設定手段２２がドレンポンプ７の運転時間を設定し、ドレンポンプ７の運転を制御するため、室内の温湿度条件に応じたドレンポンプ７の運転時間を設定できる。従って、必要以上にドレンポンプ７を運転させないためにドレンポンプ７の寿命時間を確保でき、さらに、ドレンポンプ７の消費電力を少なくできる。
【００２９】
（実施の形態３）
図３は、本発明の実施の形態３による空気調和機のドレンポンプ制御装置の断面図である。図３において、１８は熱交換器４を通過した空気の湿度を検出する吹出し湿度検知手段である。本実施の形態は、実施の形態２による空気調和機のドレンポンプ制御装置に熱交換器４を通過した空気の湿度を検出する吹出し湿度検知手段１８を有するものである。
【００３０】
演算手段２１では室内湿度検知手段１５と室内温度検知手段１６と吹出し温度検出手段１７と吹出し湿度検出手段１８との検知値から熱交換器４を通過する前後の空気状態を把握し、熱交換器４で凝縮する水量を演算する。演算手段２１で演算された凝縮水量からタイマ設定手段２２がドレンポンプ７の運転時間を設定する。よって、室内の温湿度条件や室内機の状態にそくしたドレンポンプ７の運転時間を設定できるため、必要以上にドレンポンプ７を運転させないことでドレンポンプ７の寿命時間を確保できる。さらに、ドレンポンプ７の運転時間を少なくできるため消費電力量を少なくできる。
【００３１】
（実施の形態４）
図４は、本発明の実施の形態４による空気調和機のドレンポンプ制御装置の断面図である。図４において、１はキャビネット、２はキャビネット１内に設置された送風機、３は吸込口、４はキャビネットに架設された熱交換器、５は吹出口、６は熱交換器４の下部に設置された水受皿、７は水受皿３の凹部に配置されたドレンポンプ、１２は圧縮機の回転数を検知する圧縮機回転数検知手段、１５は室内湿度を検知する室内湿度検知手段、１６は室内温度を検知する室内温度検知手段、２１は圧縮機回転数検知手段１２と室内湿度検知手段１５と室内温度検知手段１６により検知された値を演算する演算手段、２２は演算手段２１で演算された値からドレンポンプの運転時間を設定するタイマ設定手段である。
【００３２】
以上のように構成された空気調和機のドレンポンプ制御装置について、以下にその動作を説明する。まず、送風機２によって誘引された室内空気は吸込口３からキャビネット１内に流入し、熱交換器４を通過する際に熱交換器４を介して熱交換器４内に流れている冷媒との熱交換を行うことで室内空気は冷却され吹出口５より室内に放出される。熱交換器４と室内空気が熱交換した際に、空気中の水分は熱交換器４の表面に凝縮され、この凝縮水を貯溜するために熱交換器４の下部に水受皿６が設置され、水受皿６の凝縮水を室外に排出するためにドレンポンプ７を設置している。任意時間ごとに圧縮機回転数検知手段１２と室内湿度検知手段１５と室内温度検知手段１６の値を検知し、演算手段２１では圧縮機回転数検知手段１２で検知した値から室内に供給する冷凍能力を算出し、この冷凍能力と室内湿度検知手段１５と室内温度検知手段１６の値を用いて室内空気が熱交換器４を通過する際に凝縮する水量を演算する。
【００３３】
演算手段２１で演算された凝縮水量からタイマ設定手段２２がドレンポンプ７の運転時間を設定し、ドレンポンプ７の運転を制御するため、室内の温湿度条件や圧縮機の運転状態に応じたドレンポンプ７の運転時間を設定できる。従って、必要以上にドレンポンプ７を運転させないためにドレンポンプ７の寿命時間を確保でき、さらに、ドレンポンプ７の消費電力を少なくできる。
【００３４】
（実施の形態５）
図５は、本発明の実施の形態５による空気調和機のドレンポンプ制御装置の断面図である。図５において、１２は圧縮機の回転数を検知する圧縮機回転数検知手段である。本実施の形態は、実施の形態１による空気調和機のドレンポンプ制御装置に圧縮機の回転数を検知する圧縮機回転数検知手段１２を有するものである。
【００３５】
任意時間ごとに演算手段２１では圧縮機回転数検知手段１２で検知した値から室内に供給する冷凍能力を算出し、この冷凍能力と室内湿度検知手段１５と室内温度検知手段１６の値を用いて室内空気が熱交換器４を通過する際に凝縮する水量を算出する。また、熱交換器温度検知手段１１と室内湿度検知手段１５と室内温度検知手段１６を検知値から室内空気が熱交換器４を通過する際に凝縮する水量を算出し、これら２つの方法で求めた凝縮水量から熱交換器４での凝縮水量を演算する。次に、演算手段２１で演算された凝縮水量からタイマ設定手段２２がドレンポンプ７の運転時間を設定し、ドレンポンプ７の運転を制御する。
【００３６】
よって、熱交換器４で凝縮される凝縮水量の演算精度が向上し、かつ、室内の温湿度条件や熱交換器温度や圧縮機の運転状態にそくしたドレンポンプ７の運転時間を設定できる。従って、必要以上にドレンポンプ７を運転させないためにドレンポンプ７の寿命時間確保と消費電力量の削減ができる。さらに、水受皿６の貯水量を少なくできることから、キャビネット１の小型化や部品レイアウトの自由度アップによる生産性向上が可能となる。
【００３７】
（実施の形態６）
図６は、本発明の実施の形態６による空気調和機のドレンポンプ制御装置の断面図である。図６において、２０は室内送風機の回転数を検知する室内送風機回転数検知手段である。本実施の形態は、実施の形態１または実施の形態２または実施の形態３による空気調和機のドレンポンプ制御装置に圧縮機の回転数を検知する圧縮機回転数検知手段１２を設けたものである。
【００３８】
室内送風機回転数検知手段２０より熱交換器４と熱交換しない空気量の算出や室内送風機２の回転数によって熱交換器４での熱伝達率の変化を演算手段２１算出できるるため、熱交換器４で凝縮される凝縮水量の演算精度が向上し、室内の温湿度条件や室内機の運転状態や圧縮機の運転状態にそくしたドレンポンプ７の運転時間を設定できる。
【００３９】
従って、必要以上にドレンポンプ７を運転させないためにドレンポンプ７の寿命時間確保と消費電力量の削減ができる。また、水受皿６の貯水量を少なくできるため、キャビネット１の小型化や部品レイアウトの自由度アップによる生産性向上する。さらに、水受皿内６に貯水される凝縮水量の調整が可能となるためドレンポンプ７の動作時に特定水位で発生する音を防止できる。
【００４０】
（実施の形態７）
図７は、本発明の実施の形態７による空気調和機のドレンポンプ制御装置の断面図である。図７において、２３は気象データや室内機の運転状態などのデータの保持と取得を行うデータ保持手段である。本実施の形態は、実施の形態１または実施の形態２または実施の形態３または実施の形態４による空気調和機のドレンポンプ制御装置に気象データや室内機の運転状態などのデータの保持と取得を行うデータ保持手段２３を設けたものである。
【００４１】
演算手段２１では熱交換器温度検出手段１１、圧縮機回転数検知手段１２、室内湿度検出手段１５、室内温度検出手段１６、室内送風機回転数検知手段２０を用いて算出した凝縮水量に対してデータ保持手段２３から過去の気象データや過去のドレンポンプ７の運転状況を用いて補正するため、凝縮水量の演算精度が向上する。また、データ保持手段２３が気象予測データを取得することで、今後の凝縮水量の予測を前記演算手段で演算することができるため、ドレンポンプ７の発停回数も大幅に低減できる。
【００４２】
従って、機器をとりまくあらゆる条件にそくしたドレンポンプ７の運転時間を設定できるだけでなく、必要以上にドレンポンプ７を運転させないことからドレンポンプ７の寿命時間確保と消費電力量の削減とドレンポンプ７に電気を供給する部品の信頼性が向上できる。また、水受皿６の貯水量を少なくできるため、キャビネット７の小型化や部品レイアウトの自由度アップによる生産性向上する。さらに、水受皿内６に貯水される凝縮水量の調整が可能となるためドレンポンプ７の動作時に特定水位で発生する音を防止できる。
【００４３】
（実施の形態８）
図８は、本発明の実施の形態８による空気調和機のドレンポンプ制御装置の断面図である。図８において、２４はタイマ設定手段２２の値からドレンポンプ７の回転数を変化させるドレンポンプ運転手段である。本実施の形態は、実施の形態１または実施の形態２または実施の形態３または実施の形態４または実施の形態５による空気調和機のドレンポンプ制御装置に演算手段２１で算出した凝縮水量に対してタイマ設定手段２２の値に対してドレンポンプ７の運転回転数を任意に変化させるドレンポンプ運転手段２４を設けたものである。
【００４４】
従って、急激な室内温湿度状態の変化などの機器をとりまくあらゆる条件に対して即時にドレンポンプ７の運転を適合させるだけでなく、必要以上にドレンポンプ７を運転させ
ないことからドレンポンプ７の寿命時間確保と消費電力量の削減とドレンポンプ７に電気を供給する部品の信頼性が向上できる。また、水受皿６の貯水量を少なくできるため、キャビネット１の小型化や部品レイアウトの自由度アップによる生産性向上する。さらに、水受皿６内に貯水される凝縮水量の調整が可能となるためドレンポンプ７の動作時に特定水位で発生する排出際に発生する音を防止できるだけでなく、水受皿６の水位を高めになるようにドレンポンプ７の運転を変えることで電力ピーク時の電力カットが可能となる。
【図面の簡単な説明】
【００４５】
【図１】本発明による空気調和機のドレンポンプ制御装置の実施の形態1の断面図
【図２】本発明による空気調和機のドレンポンプ制御装置の実施の形態2の断面図
【図３】本発明による空気調和機のドレンポンプ制御装置の実施の形態3の断面図
【図４】本発明による空気調和機のドレンポンプ制御装置の実施の形態４の断面図
【図５】本発明による空気調和機のドレンポンプ制御装置の実施の形態5の断面図
【図６】本発明による空気調和機のドレンポンプ制御装置の実施の形態６の断面図
【図７】本発明による空気調和機のドレンポンプ制御装置の実施の形態７の断面図
【図８】本発明による空気調和機のドレンポンプ制御装置の実施の形態８の断面図
【図９】従来の空気調和機のドレンポンプ制御装置の断面図
【符号の説明】
【００４６】
４  熱交換器
６  水受皿
７  ドレンポンプ
１１  熱交換器温度検出手段
１２  圧縮機回転数検知手段
１５  室内湿度検出手段
１６  室内温度検出手段
１７  吹出し温度検出手段
１８  吹出し湿度検出手段
２０  室内送風機回転数検知手段
２１  演算手段
２２  タイマ設定手段
２３  データ保持手段
２４  ドレンポンプ運転手段
【図１】
2005055107.tif 000003
【図２】
2005055107.tif 000004
【図３】
2005055107.tif 000005
【図４】
2005055107.tif 000006
【図５】
2005055107.tif 000007
【図６】
2005055107.tif 000008
【図７】
2005055107.tif 000009
【図８】
2005055107.tif 000010
【図９】
2005055107.tif 000011